(57)【要約】【課題】芝生バリカンの電源コードが作業者の近くで邪魔にならないようにするとともに、作業者が立っているときに、芝生バリカンを落下させても、作業者に当たらないようにする。【解決手段】芝生バリカン１０に電気を供給する電源コード１４を作業者の腕に保持するための電源コード保持具２０は、作業者の腕に装着するアームバンド２１と、アームバンド２１に取り付けられて電源コード１４をその長手方向に移動しないように保持する保持部２４とを備え、保持部２４は電源コード１４を芝生バリカン１０の自重によって離脱するように保持した。【選択図】図２
2015139385.tif 000002
【特許請求の範囲】
【請求項１】
芝生バリカンに電気を供給する電源コードを作業者の腕に保持するための電源コード保持具であり、
前記電源コード保持具は、作業者の腕に装着するアームバンドと、前記アームバンドに取り付けられて前記電源コードをその長手方向に移動しないように保持する保持部とを備え、
前記保持部は前記電源コードを前記芝生バリカンの自重によって離脱するように保持する、または、前記保持部を前記芝生バリカンの自重によって前記アームバンドから離脱するように取り付けたことを特徴とする電源コード保持具。
【請求項２】
請求項１に記載の電源コード保持具において、
前記保持部は前記電源コードの長手方向と直交する方向の両側にて互いに平行な狭圧面を有して、前記電源コードの長手方向の直交する方向の両側から弾性的に狭圧する一対の狭圧腕部を備えたことを特徴とする電源コード保持具。
【発明の詳細な説明】
【技術分野】
【０００１】
本発明は、芝生バリカンに電気を供給する電源コードを作業者の腕に保持するための電源コード保持具に関する。
【背景技術】
【０００２】
特許文献１には、芝生を刈り取るための芝生バリカンが開示されている。この芝生バリカンは内蔵する電動モータの駆動により刈込刃が相対的に左右方向に往復動し、芝生バリカンを地面に沿って前後に移動させることにより、地面から生える芝生を刈り取ることができる。この芝生バリカンは電源コードにより外部電源から電動モータに電気が供給されており、芝生バリカンを地面に沿って前後に移動させているときに、刈込刃によって電源コードを切断するおそれがあった。
【０００３】
これに対し、電源コードが切断されることを防ぐことを目的とした電源コード支持具が特許文献２に開示されている。特許文献２の電源コード支持具は、作業者の腰部分の着衣に係着させる係着体と、係着体に連結されて枠内スペースにて電源コードがその長手方向に移動可能に保持される環状枠体とを備えている。生垣バリカンを使用するときには、電源コードを電源コード支持具を用いて作業者の腰部分の着衣に支持させることで、電源コードが作業者の前側に垂れ下がるのを防ぐことができる。
【先行技術文献】
【特許文献】
【０００４】
【特許文献１】特開２００８−０２２７７５号公報
【特許文献２】特許第５１３９４７４号公報
【発明の概要】
【発明が解決しようとする課題】
【０００５】
特許文献２に記載の電源コード支持具は作業者の腰部分の着衣に取り付けるようにしたものであり、作業者が立った状態で生垣バリカンを左右にゆっくりと揺動させるのに適している。このため、特許文献２の電源コード支持具を特許文献１の芝生バリカンに用いて、作業者がしゃがんだ状態で芝生バリカンを前後に移動させたときには、作業者の横で電源コードが弛んで邪魔になる問題がある。そこで、作業者の上腕に電源コードを保持させるようにすれば、電源コードが作業者の腕とともに移動するので、電源コードが作業者の横で弛んで邪魔になるのを防ぐことができる。しかし、作業者が立っているときに、芝生バリカンを落下させてしまうと、芝生バリカンが地面に落下せず、上腕を支点として振り子のように作業者に当たるおそれがあった。本発明は、芝生バリカンの電源コードが作業者の近くで邪魔にならないようにするとともに、作業者が立っているときに、芝生バリカンを落下させても、作業者に当たらないようにすることを目的とする。
【課題を解決するための手段】
【０００６】
上記課題を解決するために、本発明は、芝生バリカンに電気を供給する電源コードを作業者の腕に保持するための電源コード保持具であり、電源コード保持具は、作業者の腕に装着するアームバンドと、アームバンドに取り付けられて電源コードをその長手方向に移動しないように保持する保持部とを備え、保持部は電源コードを手持ち式バリカンの自重によって離脱するように保持する、または、保持部を芝生バリカンの自重によってアームバンドから離脱するように取り付けたことを特徴とする電源コード保持具を提供するものである。
【０００７】
上記のように構成した電源コード保持具においては、芝生バリカンの電源コードを作業者の腕に保持させたので、芝生バリカンを使用しても、電源コードが作業者の横で弛んで邪魔になるのを防ぐことができた。また、保持部は電源コードを手持ち式バリカンの自重によって離脱するように保持する、または、保持部を芝生バリカンの自重によってアームバンドから離脱するように取り付けたので、作業者が立っているときに芝生バリカンを落下させても、芝生バリカンが作業者の腕を支点として振り子のように回動せず、地面に落下して作業者に当たるのを防ぐことができた。
【０００８】
上記のように構成した電源コード保持具においては、保持部は電源コードの長手方向と直交する方向の両側にて互いに平行な狭圧面を有して、電源コードの長手方向の直交する方向の両側から弾性的に狭圧する一対の狭圧腕部を有するようにしてもよい。
【図面の簡単な説明】
【０００９】
【図１】本発明の電源コード保持具を腕に装着して芝生バリカンを把持した側面図である。
【図２】電源コード保持具の（ａ）正面図、（ｂ）側面図及び（ｃ）一部拡大正面図である。
【図３】他の実施形態の図２（ｃ）に相当する一部拡大正面図である。
【図４】さらに他の実施形態の図２（ｃ）に相当する一部拡大正面図である。
【発明を実施するための最良の形態】
【００１０】
以下、本発明の電源コード保持具の一実施形態を添付図面を参照して説明する。図１に示したように、電源コード保持具２０は芝生バリカン１０に電気を供給する電源コード１４を作業者の腕に保持するためのものである。本発明の電源コード保持具２０が用いられる芝生バリカン１０は、ハウジング１１に内蔵する電動モータ（図示省略）の駆動によってハウジング１１の前側下部にて前方に突出して設けた上下一対の刈込刃１２が左右方向に相対的に往復動するものである。芝生バリカン１０は、電動モータ（図示省略）を内蔵したハウジング１１の後側上部に作業者が把持するグリップ１３を一体的に設け、グリップ１３の後部から電動モータに電気を供給する電源コード１４を導出している。電源コード１４はハウジング１１から直接導出された第１電源コード１４ａと、第１電源コード１４ａに接続される第２電源コード（延長コード）１４ｂとを有し、第２電源コード１４ｂが家屋等の建物に設けた電源供給用のコンセントに接続されている。なお、電源コード１４はこの実施形態では第１及び第２電源コード１４ａ，１４ｂよりなる２本のコードにより構成されているが、これに限られるものでなく、１本または３本以上のコードを接続したものであってもよい。
【００１１】
図２に示したように、電源コード保持具２０は、作業者の腕（上腕）に装着するアームバンド２１と、アームバンド２１に取り付けられて電源コード１４をその長手方向に移動しないように保持する保持体（保持部）２４とを備えている。アームバンド２１は環状をした長手方向に伸縮自在なゴム製のバンドである。アームバンド２１は作業者の腕の太さに応じて長手方向の長さが変更可能となっている。図２（ａ）及び（ｂ）に示したように、アームバンド２１は保持体２４を取り付けるための取付孔２２ａを有した樹脂部材よりなる取付体２２を備えている。取付体２２の取付孔２２ａには環状の連結体２３を介して保持体２４が取り付けられている。
【００１２】
図２（ｃ）に示したように、保持体２４は、連結体２３を取り付けるための環状部２４ａと、環状部２４ａに一体的に形成して電源コード１４を保持する一対の狭圧腕部２４ｂとを備え、環状部２４ａと狭圧腕部２４ｂとを樹脂材により一体成形したものである。保持体２４の環状部２４ａは連結体２３によってアームバンド２１の取付体２２に取り付けられている。一対の狭圧腕部２４ｂは電源コード１４の長手方向と直交する方向の両側にて互いに平行な狭圧面２４ｂ１を有した略Ｃ字形をしており、電源コード１４の長手方向と直交する方向の両側から電源コード１４を弾性的に狭圧して保持している。一対の狭圧腕部２４ｂは対向する位置にて互いに平行な狭圧面２４ｂ１を有していることで、電源コード１４を一対の狭圧腕部２４ｂの開口部から引っ掛かることなく取り外すことを可能としている。一対の狭圧腕部２４ｂは芝生バリカン１０の自重（７００ｇ〜８００ｇであるが、これは一例であってこの重量に限られるものでない）により電源コード１４が離脱するように電源コード１４を弾性的に狭圧して保持している。
【００１３】
上記のように構成した電源コード保持具２０により電源コード１４を保持した状態での芝生バリカン１０を用いた芝生の刈り取り作業について説明する。作業者は電源コード保持具２０のアームバンド２１を上腕に装着する。芝生バリカン１０の前後の移動が制限されない長手方向の位置で電源コード１４を電源コード保持具２０の保持体２４に保持させる。電源コード１４の適宜な位置を保持体２４の一対の狭圧腕部２４ｂの弾性力によって挟圧させて電源コード１４を作業者の上腕に保持させる。作業者はしゃがんだ状態で芝生バリカン１０のグリップ１３を把持して、図１の実線及び２点鎖線に示したように、芝生バリカン１０を芝生の生えた地面に沿って前後方向に移動させることにより、地面から生えた芝生を刈り取る。このとき、電源コード１４は保持体２４によって長手方向に沿って移動しないように作業者の上腕に保持されているので、芝生バリカン１０を前後に移動させても、電源コード１４が作業者の横で弛んで邪魔にならない。
【００１４】
また、作業者は芝生の刈り取り作業をしているときに移動のために立つことがある。作業者が立ったときに、作業者が手を滑らせて芝生バリカン１０を意図せずに落下させてしまうことがある。このとき、電源コード保持具２０においては、保持体２４の一対の狭圧腕部２４ｂが芝生バリカン１０の自重によって離脱するように電源コード１４を狭圧保持しているので、電源コード１４は芝生バリカン１０の自重により引っ張られて保持体２４から離脱し、芝生バリカン１０は地面に落下するようになる。これにより、芝生バリカン１０が電源コード１４により腕に吊られた状態とならず、作業者の腕を支点に振り子状に回動するのを防ぐことができ、芝生バリカン１０を落下させても作業者に当たらない。
【００１５】
次に、電源コード保持具２０の他の実施形態について説明する。図３及び図４に示した電源コード保持具２０の実施形態では、保持体２４を芝生バリカン１０の自重によってアームバンド２１から離脱するように取り付けたものである。図３に示した実施形態の電源コード保持具２０は、上述した実施形態の電源コード保持具２０において、取付体２２に取付孔２２ａの一部を開くようにした切欠部２２ａ１を形成したものである。取付体２２の切欠部２２ａ１は連結体２３が通過しない大きさであるが、取付体２２の切欠部２２ａ１に連結体２３を介して芝生バリカン１０の自重が加えられると、該切欠部２２ａ１が弾性的に僅かに拡がって連結体２３の通過を許容する。作業者が立った状態で芝生バリカン１０を手放すと、保持体２４が芝生バリカン１０の自重によって連結体２３を介してアームバンド２１の取付体２２から離脱するようになる。このようにしたときにも、上述した実施形態と同様の作用効果を得ることができる。
【００１６】
また、図４に示した実施形態の電源コード保持具２０は、上述した実施形態の電源コード保持具２０において、保持体２４の環状部２４ａに孔部の一部を開くようにした切欠部２４ａ１を形成したものである。保持体２４の切欠部２４ａ１は連結体２３が通過しない大きさであるが、保持体２４の環状部２４ａに芝生バリカン１０の自重が加えられると、該切欠部２４ａ１が弾性的に僅かに拡がって連結体２３の通過を許容する。作業者が立った状態で芝生バリカン１０を手放すと、保持体２４が芝生バリカン１０の自重によって連結体２３を介してアームバンド２１の取付体２２から離脱するようになる。このようにしたときにも、上述した実施形態と同様の作用効果を得ることができる。
【００１７】
図３及び図４に示した実施形態では、取付体２２または保持体２４に切欠部を形成したが、本発明はこれに限られるものでなく、取付体２２または保持体２４に代えて連結体２３に切欠部を形成してもよい。また、取付体２２または保持体２４の一方だけでなく、取付体２２及び保持体２４の両方に切欠部を形成してもよい。
【００１８】
また、図３及び図４に示した実施形態では、保持体２４の一対の狭圧腕部２４ｂは電源コード１４を芝生バリカン１０の自重によって離脱するように保持するとともに、保持体２４を芝生バリカン１０の自重によってアームバンド２１から離脱するように取り付けたものであるので、芝生バリカン１０を落下させたときに作業者の腕からさらに確実に電源コード１４を離脱させることができるようになった。本発明はこれに限られるものでなく、図３及び図４に示した実施形態であれば、保持体２４を芝生バリカン１０の自重によってアームバンド２１から離脱するように取り付けたことにより、保持体２４は芝生バリカン１０の自重によって電源コード１４が離脱しないように電源コード１４を保持してもよく、このようにしたときにも上述したのと同様の作用効果を得ることができる。
【００１９】
また、上述した各実施形態においては、保持体２４は連結体２３を介してアームバンド２１の取付体２２に取り付けたが、本発明はこれに限られるものでなく、保持体２４をアームバンド２１の取付体２２に直接取り付けるようにしてもよい。
【符号の説明】
【００２０】
１０…芝生バリカン、１４…電源コード、２０…電源コード保持具、２１…アームバンド、２４…保持部（保持体）、２４ｂ…一対の狭圧腕部、２４ｂ１…狭圧面。
【図１】
2015139385.tif 000003
【図２】
2015139385.tif 000004
【図３】
2015139385.tif 000005
【図４】
2015139385.tif 000006